(57)【要約】【課題】用紙の画像読取時に読取ユニットが移動することを防止できる画像読取装置を提供する。【解決手段】読取ユニット４０が用紙のＡＤＦ画像読取部位Ａに位置するときには引掛部４４と溝部４６とが係合しているため、画像読取装置に衝撃や振動が作用した場合でも、読取ユニット４０がＡＤＦ画像読取部位Ａから移動し難くなる。この結果、用紙の表面で反射される反射光を漏れなく読取部３８で受光させることができるため、用紙の画像を正確に読み取ることができる。【選択図】      図２
2007036401.tif 000002
【特許請求の範囲】
【請求項１】
光を出射させる光源部と前記光源部から出射された光を用紙に照射させその反射光を受光する読取部とを備えた読取ユニットと、前記用紙を画像読取部位に供給する用紙搬送装置と、を有する画像読取装置であって、
前記読取ユニットが前記用紙の前記画像読取部位から移動する際に、前記読取ユニットに前記読取ユニットの移動に対する抵抗力を付与させる抵抗力付与手段を備えたことを特徴とする画像読取装置。
【請求項２】
用紙が載置される原稿台を有し、
前記読取ユニットは、前記原稿台の内部に収容され、
前記抵抗力付与手段は、前記読取ユニットに設けられた係合部と、原稿台側に設けられ前記読取ユニットが前記画像読取部位に位置したときに前記係合部と係合するとともに所定以上の圧力が作用することにより前記係合が解除する被係合部と、で構成されていることを特徴とする請求項１に記載の画像読取装置。
【請求項３】
前記読取ユニットが取り付けられ前記読取ユニットの所定方向への移動をガイドするガイド部材を有し、
前記係合部は、前記読取ユニットに設けられた凸部又は凹部であり、
前記被係合部は、前記ガイド部材に設けられた凹部又は凸部であることを特徴とする請求項２に記載の画像読取装置。
【請求項４】
用紙が載置される原稿台を有し、
前記抵抗力付与手段は、前記読取ユニットに設けられた磁性部材又は金属部材のいずれか一方と、原稿台側に設けられ前記磁性部材又は前記金属部材のいずれか一方と磁力により引き合う金属部材又は磁性部材のいずれか一方と、で構成されていることを特徴とする請求項１に記載の画像読取装置。
【請求項５】
前記抵抗力付与手段は、前記読取ユニットが前記画像読取部位に位置するときに前記読取ユニットに所定の圧力を作用させる押圧部材であることを特徴とする請求項１に記載の画像読取装置。
【請求項６】
前記押圧部材は、弾性部材であることを特徴とする請求項５に記載の画像読取装置。
【請求項７】
前記抵抗力付与手段は、プーリ間に掛け渡され駆動装置からの駆動力が作用することにより回転移動して前記読取ユニットを移動可能とするベルトであり、前記読取ユニットが前記画像読取部位に位置するときに前記ベルトのプーリ外周面に接触しない非接触部位の肉厚が前記ベルトのプーリ外周面に接触する接触部位の肉厚よりも厚いことを特徴とする請求項１に記載の画像読取装置。
【請求項８】
前記抵抗力付与手段は、プーリ間に掛け渡され駆動装置からの駆動力が作用することにより回転移動して前記読取ユニットを移動可能とするベルトであり、前記読取ユニットが前記画像読取部位に位置するときに前記ベルトのプーリ外周面に接触しない非接触部位の剛性がプーリ外周面に接触する接触部位の剛性よりも高いことを特徴とする請求項１に記載の画像読取装置。
【発明の詳細な説明】
【技術分野】
【０００１】
本発明は、用紙搬送装置（ＡＤＦ）とフラットベッドスキャナ（ＦＢＳ）の両方を備えた画像読取装置に関する。
【背景技術】
【０００２】
従来の画像読取装置の中には、用紙搬送装置（ＡＤＦ）とフラットベッドスキャナ（ＦＢＳ）の両方を備えたものが知られている。この種の画像読取装置には、用紙搬送装置により用紙が供給されて用紙の画像が読み取られるＡＤＦ画像読取部位と、プラテンガラス上に用紙が載置されて用紙の画像が読み取られるＦＢＳ画像読取部位がある。また、画像読取装置の内部には、光を出射させる光源部と光源部から出射された光を所定の方向に反射させる複数の反射ミラーと用紙に照射された光の反射光を受光する読取部とを備えた読取ユニット（キャリッジ）が移動可能に設けられている。
【特許文献１】特開２００１−２６８３１６号公報
【特許文献２】特開２００３−８８４０号公報
【特許文献３】特開平１０−４４８４号公報
【発明の開示】
【発明が解決しようとする課題】
【０００３】
ところで、用紙の画像をＡＤＦ画像読取部位で読み取る場合には、ＡＤＦ画像読取部位の下方に読取ユニットを移動させて用紙の画像を読み取っているが、このとき、読取ユニットを駆動しているモータが励磁されておらず、読取ユニットが移動可能な状態となっている。このため、画像読取装置に衝撃や振動が作用すると、読取ユニットが移動してしまい、用紙の画像を正確に読み取ることができなくなる問題がある。
【０００４】
そこで、本発明は、上記事情を考慮し、用紙の画像読取時に読取ユニットが移動することを防止できる画像読取装置を提供することを目的とする。
【課題を解決するための手段】
【０００５】
請求項１に記載の発明は、光を出射させる光源部と前記光源部から出射された光を用紙に照射させその反射光を受光する読取部とを備えた読取ユニットと、前記用紙を画像読取部位に供給する用紙搬送装置と、を有する画像読取装置であって、前記読取ユニットが前記用紙の前記画像読取部位から移動する際に、前記読取ユニットに前記読取ユニットの移動に対する抵抗力を付与させる抵抗力付与手段を備えたことを特徴とする。
【０００６】
請求項１に記載の発明によれば、用紙の画像を読み取る場合には、用紙が用紙搬送装置により画像読取部位に供給されるとともに、画像読取部位に位置する読取ユニットの光源部から出射された光が用紙の表面で反射されこの反射光が読取部で受光されることにより用紙の画像が読み取られる。
【０００７】
ここで、読取ユニットが用紙の画像読取部位から移動する際に、読取ユニットの移動に対する抵抗力が抵抗力付与手段により読取ユニットに付与させられる。これにより、画像読取装置に衝撃や振動が作用した場合でも、読取ユニットが画像読取部位から移動し難くなり、用紙の表面で反射される反射光を漏れなく読取部で受光させることができるため、用紙の画像を正確に読み取ることができる。
【０００８】
請求項２に記載の発明は、請求項１に記載の画像読取装置において、用紙が載置される原稿台を有し、前記読取ユニットは、前記原稿台の内部に収容され、前記抵抗力付与手段は、前記読取ユニットに設けられた係合部と、原稿台側に設けられ前記読取ユニットが前記画像読取部位に位置したときに前記係合部と係合するとともに所定以上の圧力が作用することにより前記係合が解除する被係合部と、で構成されていることを特徴とする。
【０００９】
請求項２に記載の発明によれば、読取ユニットが画像読取部位に位置したときに、読取ユニットに設けられた係合部と原稿台側に設けられた被係合部とが係合されることにより、画像読取装置に衝撃や振動（所定の未満の圧力）が作用した場合でも、読取ユニットが画像読取部位から移動し難くなる。一方、読取ユニットに所定の以上の圧力が作用した場合には、係合部と被係合部との係合が解除されるため、読取ユニットを所定の位置に移動させることができる。
【００１０】
請求項３に記載の発明は、請求項２に記載の画像読取装置において、前記読取ユニットが取り付けられ前記読取ユニットの所定方向への移動をガイドするガイド部材を有し、前記係合部は、前記読取ユニットに設けられた凸部又は凹部であり、前記被係合部は、前記ガイド部材に設けられた凹部又は凸部であることを特徴とする。
【００１１】
請求項３に記載の発明によれば、読取ユニットの所定方向への移動をガイドするガイド部材が設けられており、係合部が読取ユニットに設けられた凸部又は凹部であり、被係合部がガイド部材に設けられた凹部又は凸部であることにより、読取ユニットが画像読取部位に位置したときに、係合部と被係合部とを容易に係合させることができる。
【００１２】
請求項４に記載の発明は、請求項１に記載の画像読取装置において、用紙が載置される原稿台を有し、前記抵抗力付与手段は、前記読取ユニットに設けられた磁性部材又は金属部材のいずれか一方と、原稿台側に設けられ前記磁性部材又は前記金属部材のいずれか一方と磁力により引き合う金属部材又は磁性部材のいずれか一方と、で構成されていることを特徴とする。
【００１３】
請求項４に記載の発明によれば、抵抗力付与手段は、読取ユニットに設けられた磁性部材又は金属部材のいずれか一方と、原稿台側に設けられ磁性部材又は金属部材のいずれか一方と磁力により引き合う金属部材又は磁性部材のいずれか一方と、で構成されているため、読取ユニットが用紙の画像読取部位から移動する際に、読取ユニットの移動に対する抵抗力として磁力を読取ユニットに付与させることができる。なお、本明細書では、「金属部材」とは、磁石などの磁性部材と引き合う性質を有する金属部材を意味する。
【００１４】
請求項５に記載の発明は、請求項１に記載の画像読取装置において、前記抵抗力付与手段は、前記読取ユニットが前記画像読取部位に位置するときに前記読取ユニットに所定の圧力を作用させる押圧部材であることを特徴とする。
【００１５】
請求項５に記載の発明によれば、抵抗力付与手段は、読取ユニットが画像読取部位に位置するときに読取ユニットに所定の圧力を作用させる押圧部材であることにより、読取ユニットが画像読取部位から移動するときに、読取ユニットに抵抗力として所定の圧力を付与させることができる。
【００１６】
請求項６に記載の発明は、請求項５に記載の画像読取装置において、前記押圧部材は、弾性部材であることを特徴とする。
【００１７】
請求項６に記載の発明によれば、押圧部材は弾性部材であるため、読取ユニットに所定の圧力を作用させると弾性変形する。一方、その圧力が解除されると、押圧部材が元の形状に戻る。これにより、既存の弾性部材を用いて、読取ユニットが画像読取部位から移動するときに、読取ユニットに容易に抵抗力を作用させることができる。また、押圧部材を弾性部材とすることにより、圧力が作用した場合に弾性変形し、かつその圧力が解除した場合に元の形状に戻るため、読取ユニットの位置決めと移動との双方に対応させることができる。
【００１８】
請求項７に記載の発明は、請求項１に記載の画像読取装置において、前記抵抗力付与手段は、プーリ間に掛け渡され駆動装置からの駆動力が作用することにより回転移動して前記読取ユニットを移動可能とするベルトであり、前記読取ユニットが前記画像読取部位に位置するときに前記ベルトのプーリ外周面に接触しない非接触部位の肉厚が前記ベルトのプーリ外周面に接触する接触部位の肉厚よりも厚いことを特徴とする。
【００１９】
請求項７に記載の発明によれば、抵抗力付与手段はプーリ間に掛け渡され駆動装置からの駆動力が作用することにより回転移動して読取ユニットを移動可能とするベルトであり、読取ユニットが画像読取部位に位置するときにベルトのプーリ外周面に接触しない非接触部位の肉厚がベルトのプーリ外周面に接触する接触部位の肉厚よりも厚いため、読取ユニットを移動させるときに大きな力（ベルトに対する大きな駆動力）が必要となる。これにより、画像読取装置に衝撃や振動が作用した場合でも、簡易な構成で、読取ユニットが画像読取部位から移動し難くすることができる。
【００２０】
請求項８に記載の発明は、請求項１に記載の画像読取装置において、前記抵抗力付与手段は、プーリ間に掛け渡され駆動装置からの駆動力が作用することにより回転移動して前記読取ユニットを移動可能とするベルトであり、前記読取ユニットが前記画像読取部位に位置するときに前記ベルトのプーリ外周面に接触しない非接触部位の剛性がプーリ外周面に接触する接触部位の剛性よりも高いことを特徴とする。
【００２１】
請求項８に記載の発明によれば、抵抗力付与手段はプーリ間に掛け渡され駆動装置からの駆動力が作用することにより回転移動して読取ユニットを移動可能とするベルトであり、読取ユニットが画像読取部位に位置するときにベルトのプーリ外周面に接触しない非接触部位の剛性がプーリ外周面に接触する接触部位の剛性よりも高いため、読取ユニットを移動させるときに大きな力（ベルトに対する大きな駆動力）が必要となる。これにより、画像読取装置に衝撃や振動が作用した場合でも、簡易な構成で、読取ユニットが画像読取部位から移動し難くすることができる。
【発明の効果】
【００２２】
本発明によれば、用紙の画像読取時に読取ユニットが不意に移動することを防止できる。
【発明を実施するための最良の形態】
【００２３】
次に、本発明の一実施形態に係る画像読取装置について、図面を参照して説明する。
【００２４】
図１及び図２に示すように、画像形成装置１２の上部には、開閉動作により原稿台１４上部のプラテンガラス３０を覆い又は外部に開放する板状の開閉部材３２が取り付けられている。この開閉部材３２の上部には、用紙をＡＤＦ画像読取部位Ａに供給するための用紙搬送装置（ＡＤＦ）１０が取り付けられている。また、画像形成装置１２には、原稿台１４が設けられている。この原稿台１４には、所定の情報を入力するため入力ボタン１６と所定の情報を表示するための液晶表示部１８とを備えた入力部２０が取り付けられている。また、原稿台１４の上部には上述したプラテンガラス３０が取り付けられている。また、このプラテンガラス３０には、用紙搬送装置１０で搬送されてきた用紙の画像を読み取る部位となるＡＤＦ画像読取部位（画像読取部位）Ａと、プラテンガラス３０の上面に載置された用紙の画像を読み取る部位であるＦＢＳ画像読取部位Ｂが形成されている。また、原稿台１４の内部には、光を出射するＬＥＤ群等からなる光源部と光源部３４から出射された光を所定の方向に導く複数の反射ミラー３６と各反射ミラー３６で反射された光が用紙表面に照射され用紙表面で反射した反射光を受光する読取部３８などを収容した読取ユニット４０が設けられている。また、原稿台１４の内部にはプラテンガラス３０の下面に対して略平行に延びるガイド部材４２が設けられており、上記読取ユニット４０は、このガイド部材４２にプラテンガラス３０の下面に対して略平行に移動可能となるように取り付けられている。
【００２５】
また、用紙搬送装置１０には、用紙が載置される給紙トレイ２８が設けられている。また、用紙搬送装置１０の内部には、用紙をＡＤＦ画像読取部位に供給するための複数の搬送ロール（図示省略）が配置されている。また、用紙搬送装置１０の出口近傍には、用紙搬送路（図示省略）を搬送されてきた用紙が排出される排紙トレイ３６が設けられている。なお、排紙トレイ３６は、給紙トレイ２８の下方であって開閉部材３２の上面に形成されている。
【００２６】
また、画像形成装置１２の原稿台１４の下方には、用紙ストック部２２が設けられている。この用紙ストック部２２には、サイズの異なる用紙をサイズ毎に区分けして収容された複数の用紙カセット２４が配置されている。また、原稿台１４の下方であって用紙ストック部２２の上面には、用紙カセットから繰り出されコピーモードやファクシミリモードにより読取又は受信した所定の情報が印字された用紙が排出される排出トレイ２６が形成されている。
【００２７】
ここで、図２に示すように、読取ユニット４０の一方の端部側には、Ｌ次状の引掛部（抵抗力付与手段、係合部、凸部）４４が取り付けられている。また、読取ユニット４０がＡＤＦ画像読取部位Ａに位置するときに上記引掛部４４と係合する溝部（抵抗力付与手段、被係合部、凹部）４６がガイド部材４２に形成されている。これにより、読取ユニット４０がＡＤＦ画像読取部位Ａに位置するときには引掛部４４の先端部が溝部４６に入り込み、両者の係合状態が維持されるとともに、ＦＢＳ画像読取部位Ｂに移動させるときには読取ユニット４０に所定の圧力を作用させることにより、引掛部４４の先端部が溝部４６から外され、両者の係合状態が解除される。
【００２８】
次に、本実施形態の画像読取装置１２の作用について説明する。
【００２９】
図１及び図２に示すように、読取ユニット４０がＡＤＦ画像読取部位Ａに位置するときには、引掛部４４の先端部が溝部４６に入り込み、両者の係合状態が維持される。これにより、読取ユニット４０が移動しようとしたときに、その係合力が抵抗力として読取ユニット４０に作用する。この結果、画像読取装置１２に衝撃や振動が作用した場合に、読取ユニット４０を駆動させるモータ（図示省略、駆動装置）が励磁されていなくても、読取ユニット４０がガイド部材４２の軸方向に不意に移動してしまうことを防止できる。この結果、画像読取装置１２に衝撃や振動が作用した場合でも、ＡＤＦ画像読取部位Ａにおいて用紙の表面で反射される反射光を漏れなく読取部３８で受光させることができ、用紙の画像を正確に読み取ることができる。
【００３０】
一方、読取ユニット４０をＦＢＳ画像読取部位Ｂに移動させる場合には、読取ユニット４０に所定以上の圧力を作用させることにより、引掛部４４の先端部が溝部４６から外されて、両者の係合状態が解除される。これにより、読取ユニット４０を移動可能な状態にすることができる。
【００３１】
次に、本実施形態の画像読取装置１２の変形例について説明する。
【００３２】
図３に示すように、読取ユニット５０の一方の端部側にＬ次状の引掛部（抵抗力付与手段、係合部、凸部）５２が取り付けられており、また、読取ユニット５０がＡＤＦ画像読取部位Ａに位置するときに上記引掛部５２と係合する受け部材（抵抗力付与手段、被係合部、凹部）５４がガイド部材４２に取り付けられている構成でもよい。これにより、読取ユニット５０がＡＤＦ画像読取部位Ａに位置するときには引掛部５２と受け部材５４の係合状態が維持されるため、読取ユニット５０が移動しようとしたときに、その係合力が抵抗力として読取ユニット５０に作用する。この結果、画像読取装置に衝撃や振動が作用した場合でも、読取ユニット５０がガイド部材４２の軸方向に不意に移動してしまうことを防止でき、ＡＤＦ画像読取部位Ａにおいて用紙の画像を正確に読み取ることができる。なお、ＦＢＳ画像読取部位Ｂに移動させるときには、読取ユニット５０に所定の圧力を作用させることにより、引掛部５２と受け部材５４との係合状態が解除され、読取ユニット５０を移動可能な状態にすることができる。
【００３３】
また、図４に示すように、読取ユニット６０がＡＤＦ画像読取部位Ａに位置するときに、読取ユニット６０の底部により押圧されて弾性変形するゴムなどの弾性部材（抵抗力付与手段、押圧部材）６２が原稿台１４（図１参照）の底部１４Ａに取り付けられた構成でもよい。これにより、読取ユニット６０がＡＤＦ画像読取部位Ａに位置するときには、弾性部材６２から所定の弾性力（圧力）が抵抗力として読取ユニットに常に作用する。この結果、画像読取装置に衝撃や振動が作用した場合でも、読取ユニット６０がガイド部材４２の軸方向に不意に移動してしまうことを防止できる。
【００３４】
また、図５に示すように、読取ユニット７０の底部にＮ極磁石（又はＳ極磁石）７２（抵抗力付与手段、磁性部材）が取り付けられ、読取ユニット７０がＡＤＦ画像読取部位Ａに位置するときに、読取ユニット７０の底部に取り付けられたＮ極磁石（又はＳ極磁石）７２と対向する原稿台１４（図１参照）の底部１４ＡにＳ極磁石（又はＮ極磁石）７４（抵抗力付与手段、磁性部材）が取り付けられた構成でもよい。これにより、読取ユニット７０がＡＤＦ画像読取部位Ａに位置するときには、Ｎ極磁石７２とＳ極磁石７４が磁力により引き合うため、この磁力が抵抗力として読取ユニット７０に作用する。この結果、画像読取装置に衝撃や振動が作用した場合でも、読取ユニット７０がガイド部材４２の軸方向に不意に移動してしまうことを防止できる。なお、読取ユニット７０の底部に取り付けた磁石と、原稿台１４（図１参照）の底部１４Ａに取り付けた磁石の一方を鉄などの磁石と引き合う性質を有する金属部材にしてもよい。
【００３５】
また、図６に示すように、読取ユニット（図６では図示省略）がプーリ８０間に掛け渡されたベルト（抵抗力付与手段）８２に取り付けられ、その一方のプーリ８０にモータ（図示省略、駆動装置）の駆動軸が接続され、モータの駆動によりプーリ８０が回転しベルト８２が回転移動することにより読取ユニットが移動する構成において、読取ユニットがＡＤＦ画像読取部位Ａ（図６では図示省略）に位置するときにベルト８２のプーリ外周面に接触しない非接触部位８２Ａの肉厚がプーリ外周面に接触する接触部位８２Ｂの肉厚よりも厚くなるように設定してもよい。これにより、読取ユニットを移動させるときに大きな力（ベルト８２に対する大きな駆動力）が必要となるため、画像読取装置に衝撃や振動が作用した場合でも、簡易な構成で、読取ユニットがＡＤＦ画像読取部位Ａから移動し難くすることができる。なお、ベルト８２の肉厚を変更させる手段として、接触部位８２Ｂの肉厚が薄くなり、かつ非接触部位８２Ａの肉厚が厚くなるようにベルト８２を一体形成してもよく、また、図７に示すように、ベルト（抵抗力付与手段）８４の非接触部位８４Ａに別途、弾性部材（厚み補強部材）８６を貼り付けて非接触部位８４Ａの肉厚を増大させるようにしてもよい。さらに、図示しないが、ベルトの接触部位の剛性（強度）が低くなり、ベルトの非接触部位の剛性（強度）が高くなるように、ベルトの材質を部分的に変えるようにしてもよい。
【図面の簡単な説明】
【００３６】
【図１】本発明の一実施形態に係る画像読取装置の斜視図である。
【図２】本発明の一実施形態に係る画像読取装置の要部の説明図である。
【図３】本発明の一実施形態に係る画像読取装置の変形例の要部の説明図である。
【図４】本発明の一実施形態に係る画像読取装置の変形例の要部の説明図である。
【図５】本発明の一実施形態に係る画像読取装置の変形例の要部の説明図である。
【図６】本発明の一実施形態に係る画像読取装置の変形例に用いられるベルトの部分的な構成図である。
【図７】本発明の一実施形態に係る画像読取装置の変形例に用いられるベルトの部分的な構成図である。
【符号の説明】
【００３７】
１０    用紙搬送装置
１２    画像読取装置
１４    原稿台
３４    光源部
３８    読取部
４０    読取ユニット
４２    ガイド部材
４４    引掛部（抵抗力付与手段、係合部、凸部）
４６    溝部（抵抗力付与手段、被係合部、凹部）
Ａ      ＡＤＦ画像読取部位（画像読取部位）
５０    読取ユニット
５２    引掛部（抵抗力付与手段、係合部、凸部）
５４    受け部材（抵抗力付与手段、被係合部、凹部）
６０    読取ユニット
６２    弾性部材（抵抗力付与手段、押圧部材）
７０    読取ユニット
７２    Ｎ極磁石（抵抗力付与手段、磁性部材）
７４    Ｓ極磁石（抵抗力付与手段、磁性部材）
８０    プーリ
８２    ベルト（抵抗力付与手段）
８２Ａ  非接触部位
８２Ｂ  接触部位
８４    ベルト（抵抗力付与手段）
８４Ａ  非接触部位
８４Ｂ  接触部位
８６    弾性部材（厚み補強部材）
【図１】
2007036401.tif 000003
【図２】
2007036401.tif 000004
【図３】
2007036401.tif 000005
【図４】
2007036401.tif 000006
【図５】
2007036401.tif 000007
【図６】
2007036401.tif 000008
【図７】
2007036401.tif 000009